(57)【要約】【課題】    住宅の間仕切りや家具の扉などに用いることができる、指詰めによる怪我を防止できる意匠性の良い折り戸扉を提供する。【解決手段】  複数枚の折り戸パネル１、２を蝶番３により折り畳み自在に連結した折り戸扉Ａで、閉じた状態において、相隣る折り戸パネル１、２の側端面間の水平距離ｗが１３ｍｍ以上となるように折り戸パネル１、２同士を連結するとともに、一方の折り戸パネル１の側端面に、固定片１０と目隠し片１１とが軟質樹脂連結部１２で変形自在に連結された断面略Ｌ字状の目隠し材４の固定片を固定したもの。【選択図】  図２
2008303563.tif 000002
【特許請求の範囲】
【請求項１】
複数枚の折り戸パネルをヒンジにより折り畳み自在に連結した折り戸扉において、該折り戸扉を閉じた状態において、相隣る折り戸パネルの側端面間の水平距離が１３ｍｍ以上となるように折り戸パネル同士を連結するとともに、一方の折り戸パネルの側端面に、固定片と目隠し片とが軟質樹脂連結部で変形自在に連結された断面略Ｌ字状の目隠し材の固定片を固定してなることを特徴とする折り戸扉。      
【請求項２】
目隠し材の目隠し片先端が軟質樹脂先端部に形成されていることを特徴とする請求項１に記載の折り戸扉。
【発明の詳細な説明】
【技術分野】
【０００１】
本発明は、住宅の開口部の扉や間仕切り用の扉として、或いは収納装置等の扉として用いることができる折り戸扉に関する。
【背景技術】
【０００２】
従来の折り戸扉は、例えば特許文献１に示されるように、第１扉体と第２扉体との間をヒンジで折り畳み自在に連結したものが知られている。そしてこの特許文献１に示される折り畳み扉は、ヒンジより手前の端面に左右方向に伸縮可能なカバー材が設けられ、折り畳み扉を閉じたとき、第１扉体と第２扉体との間の水平距離が手指の巾より大きく、扉体端面間がカバー材で塞がれるように構成されている。
【０００３】
このため、扉体端面間の連結部の中に手指が入った状態で折り畳み扉を閉じた場合で、挟まった手指に押されてカバー材が左右方向に縮小変形した場合には、手指が扉体端面間の間に強く挟まることがないので怪我をすることがない。また、このように折り畳み扉が閉じた状態では、カバー材が左右方向に伸びて連結部の隙間を覆うので、連結部内のヒンジが外部から見えて外観を損なうこともないという利点がある。
【０００４】
しかしながら、このような特許文献１に記載の折り畳み扉においては、カバー材が左右方向にしか伸縮しないように構成されているので、例えば、図７のように折り畳み扉を閉じる作業時に、手指が斜め方向から深めに連結部材内に入った場合等においては、折り畳み扉の閉鎖時にカバー材に左右方向の力ではなく、前後方向や斜め方向の力が加わることがあり、このような場合には図８に示すようにカバー材が水平方向に十分収縮せず、手指が扉体の側端面とカバー材の間に挟まってしまうことがあるという不具合を有していた。
【特許文献１】特開平１０−２１２８７０号公報
【発明の開示】
【発明が解決しようとする課題】
【０００５】
本発明は、かかる問題点に鑑みなされたもので、指詰めによる怪我を防止でき、且つ意匠性の良い折り戸扉を提供することを目的とする。
【課題を解決するための手段】
【０００６】
上記目的を達成するために、請求項１に係る発明の折り戸扉は、複数枚の折り戸パネルをヒンジにより折り畳み自在に連結した折り戸扉において、該折り戸扉を閉じた状態において、相隣る折り戸パネルの側端面間の水平距離が１３ｍｍ以上となるように折り戸パネル同士を連結するとともに、一方の折り戸パネルの側端面に、固定片と目隠し片とが軟質樹脂連結部で変形自在に連結された断面略Ｌ字状の目隠し材の固定片を固定してなることを特徴とする。
【０００７】
また、請求項２に係る発明の折り戸扉は、請求項１に記載の発明の折り戸扉において、目隠し材の目隠し片先端が軟質樹脂先端部に形成されていることを特徴とする。
【発明の効果】
【０００８】
請求項１に記載の発明の折り戸扉は、折り戸扉を閉じた状態において、相隣る折り戸パネルの側端面間の水平距離が１３ｍｍ以上となるように折り戸パネル同士を連結するとともに、一方の折り戸パネルの側端面に、固定片と目隠し片とが軟質樹脂連結部で変形自在に連結された断面略Ｌ字状の目隠し材の固定片を固定して形成されているので、目隠し材の目隠し片によって手指が連結部内に入り難く、また、折り戸扉の閉鎖作業時に万一手指が折り戸パネルの側端面と目隠し材の目隠し片の間に挟まったとしても、目隠し材が軟質樹脂を支点として前後や斜めなど多方向に変形するので、連結部内の手指が強く圧迫されることはなく、指詰めによる怪我を防止することが出来る。
【０００９】
そして、折り戸扉の閉鎖時は、目隠し材の目隠し片によって連結部内が目隠しされるので、外部からヒンジが見えることがなく、意匠性を低下させることもない。
【００１０】
また、請求項２に記載の発明の折り戸扉は、請求項１に記載の発明の折り戸扉において、目隠し材の目隠し片先端が軟質樹脂先端部に形成されているので、請求項１に記載の発明の効果に加えて、手指が連結部内に挟まった場合においても、手指と目隠し片先端部との接触をソフトなものにすることができ、擦り傷などの怪我の発生を少なくすることができる。
【発明を実施するための最良の形態】
【００１１】
以下、本発明を実施するための実施形態を図面に基づき説明する。尚、本発明は本実施形態の記載内容に限られるものではない。
【００１２】
図１乃至図４は、本実施形態に係る折り戸扉Ａの説明図であり、図１はその正面図、図２は図１におけるＸ−Ｘ’断面拡大図、図３は図１におけるＹ−Ｙ’断面拡大図、図４は折り戸扉Ａに用いる目隠し材４の断面図である。
【００１３】
図１乃至図３より、折り戸扉Ａは、折り戸パネル１と２とをヒンジである蝶番３により折り畳み自在に連結されている。そして、折り戸パネル１と２との側端面の間は、１３ｍｍ以上、具体的には１８ｍｍの水平距離ｗとなるように間隔が設けられ、一方の折り戸パネル１の側端面には、断面略Ｌ字状の目隠し材４が固定されている。
【００１４】
ここにおいて、上記水平距離ｗは１３ｍｍ未満となると、手指を挟んだ状態で折り戸を閉じた場合、手指が強く圧迫されて怪我をする可能性があるので好ましくなく、また、上記水平距離ｗは３０ｍｍを超える寸法になると折り戸Ａの外観を損なうことがあるので好ましくない。怪我の防止と良好な外観を得るという観点から上記水平距離ｗを１５ｍｍ〜２５ｍｍの範囲に設定するのが最も好ましい。
【００１５】
また折り戸パネル１、２としては種々のものを用いることができる。例えば、基板５と化粧材６とで形成され、基板５としては、合板、ＬＶＬ、パーティクルボード、ＭＤＦ、集成材、木材或いはそれらの複合物等の木質材料や、火山性ガラス質複層板、珪酸カルシウム板等の無機質板、或いは金属板等を用いることができ、また化粧材６としては、突板、合成樹脂化粧シート、化粧紙、塗料膜、Ｖカット化粧板（薄い合板等の基材表面に化粧シートを貼着し、裏面側にＶ溝などの折り曲げ溝を設けた化粧板）などを用いることができる。本実施形態では、基板５として合板を用い、化粧材６としてＶカット化粧板を用いた例を示している。
【００１６】
そして、折り戸パネル１と、それと相隣る折り戸パネル２の連結部７の前側に位置する側縁部には、Ｖカット加工によって左右方向に突出する突出部８、８が設けられている。このように連結部７の前側に突出部８、８を設けておくと、折り戸扉Ａを閉じた時に、後述する目隠し材４の軟質樹脂連結部１２自体や、目隠し片１１の先端の軟質樹脂先端部１４自体、或いは軟質樹脂先端部１４と折り戸パネル２の側端面との間に生じる隙間を見えないようにすることができ、軟質樹脂連結部１２や軟質樹脂先端部１４に化粧を施さなくても閉鎖時の折り戸扉Ａの外観を良くすることができ、隙間を見えないようにすることができる。
【００１７】
また、蝶番３は、美観を良くするために、図３に示すように折り戸パネル１，２の後側の側縁部を欠き込んで埋設されており、軸９を支点として矢印方向に回動して折り戸扉Ａが開閉できるように形成されている。尚、蝶番３は、このような埋設型タイプではなく、折り戸パネル１，２の後側の側縁面に跨るように直接固定する露出型タイプであってもよく、また、特許文献１に記載のように折り戸パネル１、２を折り畳み自在に連結するものをヒンジとして用いることができる。
【００１８】
目隠し材４は、図４に示すように硬質樹脂製の固定片１０と硬質樹脂製の目隠し片１１とが軟質樹脂連結部１２によって連結された断面略Ｌ字形状に形成されており、軟質樹脂連結部１２を支点として前後や斜めなど多方向に変形するように形成されている。
【００１９】
尚、１３は固定片１０を折り戸パネル１の側端面に固定するためのビス孔である。そして、１４は目隠し片１１の先端に設けた軟質樹脂先端部であり、手指が目隠し片１１に接触した時に擦り傷などが生じないように設けられている。そして、この目隠し材４は、図２に示すように、折り戸パネル１の側端面にビスによって固定されている。
【００２０】
尚、目隠し材４の折り戸パネル１の側端面への取り付けは、上記固定片１０をビス止めするものに限らず、接着、或いは固定片から裏面側に垂直に突設する鋸歯状突起の上記側端面への埋設固定などの方法によって行なうこともできる。
【００２１】
また、本実施形態では、目隠し材４の目隠し片１１を硬質樹脂で形成しているので、樹脂着色、コーティング、転写印刷、化粧シートのラミネート等多様な方法により容易に装飾しておくことができる。尚、目隠し片１１を軟質樹脂で形成しておくこともできるが、変形し易く装飾性にも劣るので、連結部７の外観を低下させることがあり好ましくない。
【００２２】
このように、本実施形態に係る折り戸扉Ａは、折り戸パネル１と２との側端面の間が１３ｍｍ以上、具体的には１８ｍｍの水平距離ｗとなるように蝶番３で連結し、一方の折り戸パネル１の側端面に、断面略Ｌ字状の目隠し材４を固定しているので、手指が連結部内に入り難く形成されているとともに、折り戸扉Ａを閉じる作業中に、万一手指の一部が図５のように折り戸パネル２の側端面と目隠し材４の目隠し片１１との間に挟まって、図６のように折り戸扉Ａが閉じた状態になった場合でも、目隠し材４の目隠し片１１が、軟質樹脂連結部１２を支点として前後或いは斜めなど多方向に変形することができるので、手指が目隠し片１１により強く圧迫されることがなく、怪我をするのを防止することができる。
【産業上の利用可能性】
【００２３】
尚、本実施形態では、目隠し材に断面略Ｌ字状のものを用いたものを示したが、このようなＬ字状部を含む形状、例えば断面コ字状、ロ字状、直角三角形状等のものを目隠し材として応用することもできる。
【図面の簡単な説明】
【００２４】
【図１】本発明の実施形態である折り戸扉Ａの正面図。
【図２】本発明の実施形態である折り戸扉ＡのＸ−Ｘ’断面拡大図。
【図３】本発明の実施形態である折り戸扉ＡのＹ−Ｙ’断面拡大図。
【図４】折り戸扉Ａに用いる目隠し材の断面図。
【図５】本発明の実施形態である折り戸扉Ａの連結部内に手指が挟まった状態を示す部分断面説明図。
【図６】本発明の実施形態である折り戸扉Ａの連結部内に手指が挟まった状態を示す部分断面説明図。
【図７】従来の折り畳み扉の連結部内に手指が挟まった状態の一例を示す部分断面説明図。
【図８】従来の折り畳み扉の連結部内に手指が挟まった状態の一例を示す部分断面説明図。
【符号の説明】
【００２５】
Ａ                    折り戸扉
１、２                折り戸パネル
３                    蝶番
４                    目隠し材
５                    基板
６                    化粧材
７                    連結部
８                    突出部
９                    軸
１０                  固定片
１１                  目隠し片
１２                  軟質樹脂連結部
１３                  ビス孔
１４                  軟質樹脂先端部
【図１】
2008303563.tif 000003
【図２】
2008303563.tif 000004
【図３】
2008303563.tif 000005
【図４】
2008303563.tif 000006
【図５】
2008303563.tif 000007
【図６】
2008303563.tif 000008
【図７】
2008303563.tif 000009
【図８】
2008303563.tif 000010